(57)【要約】【課題】足場材の支柱への連結をより安全かつ確実でしかも簡易に実施することができる仮設足場用連結構造体を提供する。【解決手段】２つの板状部材２１，２２よりなり足場材Ｐが固着された本体部材２０と、支柱１１のくさび受け１５の上穴部１６に差し込み自在に本体部材２０に形成された固定くさび部３０と、本体部材２０を構成する２つの板状部材２１，２２の間に形成された３つのガイド部２６，２７，３３に沿って横方向に進退可能に設けられ、安全固定時にはくさび受け１５の下部に前進され固定解除時にはくさび受け１５の下部から後退される可動くさび部材４０とを有する。【選択図】図１
2008002116.tif 000002
【特許請求の範囲】
【請求項１】
仮設足場用の筋交い材若しくは水平材若しくは垂直材等の足場材を支柱のくさび受けに取り外し可能に連結するための構造体であって、
２つの板状部材よりなり前記足場材が固着された本体部材と、
前記支柱のくさび受けの上穴部に差し込み自在に前記本体部材に形成された固定くさび部と、
前記本体部材を構成する２つの板状部材の間に形成された３つのガイド部に沿って横方向に進退可能に設けられ、安全固定時には前記くさび受けの下部に前進され固定解除時には前記くさび受けの下部から後退される可動くさび部材
とを有することを特徴とする仮設足場用連結構造体。
【請求項２】
前記ガイド部の少なくとも１部が板状部材の間に固着されたリベットである請求項１に記載の仮設足場用連結構造体。
【請求項３】
前記可動くさび部材の前部に前記本体部材を構成する板状部材に係着する抜け止めピン部が形成されている請求項１又は２に記載の仮設足場用連結構造体。
【請求項４】
前記可動くさび部材の後部にハンマー打ち込み用の突部が形成されている請求項１ないし３のいずれか１項に記載の仮設足場用連結構造体。
【発明の詳細な説明】
【技術分野】
【０００１】
本発明は、仮設足場用の筋交い材若しくは水平材若しくは垂直材等の足場材を支柱のくさび受けに取り外し可能に連結するための仮設足場用連結構造体に関する。
【背景技術】
【０００２】
一般に、建築物等の工事等を行う際には、その外周に仮設足場が設置されるものであって、複数本の支柱を所定間隔で配置し、前記各支柱間に足場板を架設させて一の階層の足場を形成し、上方に支柱を順次継ぎ足して同様に足場板を架設させることにより複数階層の足場を形成してなる。このような仮設足場にあっては、上方への足場の継ぎ足し作業をする際の安全対策として、足場板を架設させる前に筋交い材若しくは水平材若しくは垂直材等の足場材を手すりとして先行して配置するように構成される。
【０００３】
上記の如く、足場材を配置する場合には、前記足場材を支柱のくさび受けに取り外し可能に連結するための仮設足場用連結構造体が使用される。この仮設足場用連結構造体としては、例えば、図４に示すように、コの字型の本体部材１２０と、前記本体部材１２０に上下方向にスライド自在に配置され前記くさび受け１１５の上方から抜き差し可能に形成されたくさび部１３０とを有する仮設足場用連結構造体１００が知られている（例えば、特許文献１参照。）。図において、符号１１６はくさび受け１１５の穴部、１２１，１２２は本体部材１２０を構成する２枚の板状部材、１３１はくさび受け１１５の穴部１１６に挿入可能な突部、１３２，１３３は本体部材１２０より幅広に形成された抜け止め部、Ｐは足場材を表す。
【０００４】
この仮設足場用連結構造体１００では、支柱１１１のくさび受け１１５の上下両端にコの字型の本体部材１２０を係合されることにより、下方から力が作用しても外れにくく、さらに、くさび部１３０を支柱１１１のくさび受け１１５に対して着脱することで当該仮設足場用連結構造体１００を固定することが可能であるため、取付作業を容易に行うことができる。
【０００５】
ところで、従来の仮設足場用連結構造体１００では、くさび受け１１５に対してくさび部１３０を打ち付けて固定するものであるため、くさび部１３０が意図せずくさび受け１１５から抜けるような不測の事態が発生した場合に当該仮設足場用連結構造体１００の固定が解除されてしまう等の安全性に問題があった。
【特許文献１】特開２００２−７０３０４号公報
【発明の開示】
【発明が解決しようとする課題】
【０００６】
本発明は前記の点に鑑みなされたものであり、足場材の支柱への連結をより安全かつ確実でしかも簡易に実施することができる仮設足場用連結構造体を提供するものである。
【課題を解決するための手段】
【０００７】
すなわち、請求項１の発明は、仮設足場用の筋交い材若しくは水平材若しくは垂直材等の足場材を支柱のくさび受けに取り外し可能に連結するための構造体であって、２つの板状部材よりなり前記足場材が固着された本体部材と、前記支柱のくさび受けの上穴部に差し込み自在に前記本体部材に形成された固定くさび部と、前記本体部材を構成する２つの板状部材の間に形成された３つのガイド部に沿って横方向に進退可能に設けられ、安全固定時には前記くさび受けの下部に前進され固定解除時には前記くさび受けの下部から後退される可動くさび部材とを有することを特徴とする仮設足場用連結構造体に係る。
【０００８】
請求項２の発明は、前記ガイド部の少なくとも１部が板状部材の間に固着されたリベットである請求項１に記載の仮設足場用連結構造体に係る。
【０００９】
請求項３の発明は、前記可動くさび部材の前部に前記本体部材を構成する板状部材に係着する抜け止めピン部が形成されている請求項１又は２に記載の仮設足場用連結構造体に係る。
【００１０】
請求項４の発明は、前記可動くさび部材の後部にハンマー打ち込み用の突部が形成されている請求項１ないし３のいずれか１項に記載の仮設足場用連結構造体に係る。
【発明の効果】
【００１１】
請求項１の発明に係る仮設足場用連結構造体によれば、仮設足場用の筋交い材若しくは水平材若しくは垂直材等の足場材を支柱のくさび受けに取り外し可能に連結するための構造体であって、２つの板状部材よりなり前記足場材が固着された本体部材と、前記支柱のくさび受けの上穴部に差し込み自在に前記本体部材に形成された固定くさび部と、前記本体部材を構成する２つの板状部材の間に形成された３つのガイド部に沿って横方向に進退可能に設けられ、安全固定時には前記くさび受けの下部に前進され固定解除時には前記くさび受けの下部から後退される可動くさび部材とを有するため、足場材の支柱への連結をより安全かつ確実でしかも簡易に実施することができる。
【００１２】
請求項２の発明によれば、請求項１において、前記ガイド部の少なくとも１部が板状部材の間に固着されたリベットであるため、２つの板状部材を一体に形成すると同時に可動くさび部材のガイドが可能となり、より簡易な構成とすることができる。
【００１３】
請求項３の発明によれば、請求項１又は２において、前記可動くさび部材の前部に前記本体部材を構成する板状部材に係着する抜け止めピン部が形成されているため、作業中の安全性をより向上させることができる。
【００１４】
請求項４の発明によれば、請求項１ないし３において、前記可動くさび部材の後部にハンマー打ち込み用の突部が形成されているため、前記可動くさび部材による安全固定及び固定解除をより簡単に行うことができる。
【発明を実施するための最良の形態】
【００１５】
以下添付の図面に従ってこの発明を詳細に説明する。
図１は本発明の一実施例に係る仮設足場用連結構造体の斜視図、図２は仮設足場用連結構造体の取り付け前の状態を表した概略側面図、図３は支柱に仮設足場用連結構造体が取り付けられた状態を表した概略側面図である。
【００１６】
図１ないし図３に示す本発明の一実施例に係る仮設足場用連結構造体１０は、仮設足場用の筋交い材若しくは水平材若しくは垂直材等の足場材Ｐを支柱１１のくさび受け１５に取り外し可能に連結するためのものであって、本体部材２０と、固定くさび部３０と、可動くさび部材４０とを有する。図において、符号Ｐ１は足場材Ｐの固定部を表す。
【００１７】
本体部材２０は、２つの板状部材２１，２２よりなり、足場材Ｐが固着されるものである。実施例の本体部材２０は、足場材Ｐの固定部Ｐ１を各板状部材２１，２２によって狭持するとともに、前記各板状部材２１，２２を貫通する固定ピン２３によって固定するように構成される。また、この本体部材２０には、２つの板状部材２１，２２の間に固着される複数（この例では２つ）リベット２６，２７が設けられ、このリベット２６，２７が後述の可動くさび部材４０のガイド部の一部として構成されている。なお、この実施例において、リベット２６は本体部材２０の下側部分に配置され、リベット２７は前記リベット２６より上方の本体部材２０後部に配置される。
【００１８】
固定くさび部３０は、支柱１１のくさび受け１５の上穴部１６に差し込み自在に本体部材２０に形成される。実施例の固定くさび部３０は、その後部３２の一部が本体部材２０に溶接によって一体に形成されている。また、固定くさび部３０の後部３２は、本体部材２０に設けられたリベット２７と略同一高さまで下方に突出して形成されており、その下端部３３が後述の可動くさび部材４０のガイド部の一部として構成される。図中の符号３１はくさび受け１５の上穴部１６に挿入可能な突部である。
【００１９】
可動くさび部材４０は、本体部材２０を構成する２つの板状部材２１，２２の間に形成された３つのガイド部（２６，２７，３３）に沿って横方向に進退可能に設けられ、安全固定時にはくさび受け１５の下部に前進され固定解除時には前記くさび受け１５の下部から後退されるように構成される。実施例の可動くさび部材４０は、ガイド部であるリベット２６と、リベット２７及び固定くさび部３０後部３２の下端部３３によって横方向に進退可能に狭持されることにより、前後方向への直動が可能に構成されている。また、この可動くさび部材４０は、前部４２がくさび状に構成された棒状部材４１からなり、前部４２に本体部材２０を構成する板状部材２１，２２に係着する抜け止めピン部４３が形成されていて、後退時に板状部材２１，２２に係着することにより脱落が防止される。さらに、この可動くさび部材４０には、後部にハンマー打ち込み用の突部４６形成されている。
【００２０】
次に、当該仮設足場用連結構造体１０による足場材Ｐの支柱１１への連結方法について図２及び図３を用いて説明する。連結前の仮設足場用連結構造体１０は、可動くさび部材４０が後退して前部４２の抜け止めピン部４３が本体部材２０の板状部材２１，２２に係着された状態である。
【００２１】
まず、図２に示すように、固定くさび部３０の突部３１を、くさび受け１５の上穴部１６に上方から差し込むことにより、当該仮設足場用連結構造体１０の支柱１１への連結が開始される。
【００２２】
次いで、図３に示すように、可動くさび部材４０をガイド部２６，２７，３３に沿って前進させて、該可動くさび部材４０の後部に形成された突部４６を後側から前側に向かってハンマー等を用いて打ち込むことにより、前記可動くさび部材４０の前部４２がくさび受け１５下部に係着して、前記くさび受け１５下部及び３つのガイド部２６，２７，３３によって固定される。これにより、固定くさび部３０と可動くさび部材４０とによってくさび受け１５が上下から把持されて安全固定され、当該仮設足場用連結構造体１０による足場材Ｐの支柱１１への連結が完了する。
【００２３】
また、足場材Ｐを支柱１１から取り外す場合は、図３に示すように、可動くさび部材４０の突部４６を前側から後側に向かってハンマー等を用いて打ち込んで、前記可動くさび部材４０の前部をくさび受け１５下部から後退させて固定解除し（図２参照）、続いて、固定くさび部３０の突部３１を受け１５の上穴部１６から抜去させることで当該仮設足場用連結構造体１０の支柱１１からの取り外しが完了する。
【００２４】
上記の如く連結した仮設足場用連結構造体１０にあっては、２つの板状部材２１，２２よりなり足場材Ｐが固着された本体部材２０と、支柱１１のくさび受け１５の上穴部１６に差し込み自在に前記本体部材２０に形成された固定くさび部３０と、板状部材２１，２２の間に形成された３つのガイド部２６，２７，３３に沿って横方向に進退可能に設けられ、安全固定時にはくさび受け１５の下部に前進され固定解除時にはくさび受け１５の下部から後退される可動くさび部材４０とを有するため、足場材Ｐを支柱１１に対して安全かつ確実に、しかも簡易に取り付けることができるとともに、取り外しも簡易に行うことができる。
【００２５】
なお、本発明の仮設足場用連結構造体は、前述の実施例のみに限定されるものではなく、発明の趣旨を逸脱しない範囲において構成の一部を適宜に変更して実施することができる。
【図面の簡単な説明】
【００２６】
【図１】本発明の一実施例に係る仮設足場用連結構造体の斜視図である。
【図２】仮設足場用連結構造体の取り付け前の状態を表した概略側面図である。
【図３】支柱に仮設足場用連結構造体が取り付けられた状態を表した概略側面図である。
【図４】従来の仮設足場用連結構造体の概略側面図である。
【符号の説明】
【００２７】
１０  仮設足場用連結構造体
１１  支柱
１５  くさび受け
２０  本体部材
２１，２２  板状部材
３０  固定くさび部
４０  可動くさび部材
Ｐ    足場材
【図１】
2008002116.tif 000003
【図２】
2008002116.tif 000004
【図３】
2008002116.tif 000005
【図４】
2008002116.tif 000006